(57)【要約】【課題】レンズの保持部材を光軸に沿って移動する際の支えとなる軸を受ける軸受けの構造を小型化するとともに、高精度に支えられるようにすること。【解決手段】本発明は、レンズを保持する３群枠７と、３群枠７に設けられレンズの光軸に沿って延出するスリーブ部７ｂと、３群枠７がレンズの光軸に沿って移動する際の支えとするため、スリーブ部７ｂに貫通するガイド軸１４と、３群枠７の回転方向への移動を規制するためのガイド軸２４と、ガイド軸１４、２４を光軸に沿って垂設するための固定基準となる後部鏡筒８と、ガイド軸１４のみを受ける軸受け部材とを備えており、軸受け部材として、ガイド軸１４の後部鏡筒８から遠い側の端を受けるため、後部鏡筒８と２本の支柱９１ａを介して一体成形された第１の軸受け部材９１と、ガイド軸１４の後部鏡筒８に近い側の端を受けるため、後部鏡筒８を固定基準としたガイド軸押さえ９とを備えるものである。【選択図】図４
2006301672.tif 000002
【特許請求の範囲】
【請求項１】
３群構成から成る沈銅レンズの３群のレンズを保持するレンズ保持装置において、
前記レンズを保持する保持枠と、
前記保持枠に設けられ前記レンズの光軸に沿って延出するスリーブ部と、
前記保持枠が前記レンズの光軸に沿って移動する際の支えとするため、前記スリーブ部に貫通する主ガイド軸と、
前記保持枠の前記主ガイド軸を中心とした回転方向への移動を規制するための副ガイド軸と、
前記主ガイド軸および前記副ガイド軸を光軸に沿って垂設するための固定基準となる基台と、
前記主ガイド軸のみを受ける軸受け部材とを備えており、
前記軸受け部材として、
前記主ガイド軸の前記基台から遠い側の端を受けるため、前記基台と２本の支柱を介して一体成形された第１の軸受け部材と、
前記主ガイド軸の前記基台に近い側の端を受けるため、前記基台を固定基準とした第２の軸受け部材と
を備えることを特徴とするレンズ保持装置。
【請求項２】
内部にレンズ保持装置を備えるレンズ鏡筒において、
前記レンズ保持装置は、
３群構成から成る沈銅レンズの３群のレンズを保持するレンズ保持装置において、
前記レンズを保持する保持枠と、
前記保持枠に設けられ前記レンズの光軸に沿って延出するスリーブ部と、
前記保持枠が前記レンズの光軸に沿って移動する際の支えとするため、前記スリーブ部に貫通する主ガイド軸と、
前記保持枠の前記主ガイド軸を中心とした回転方向への移動を規制するための副ガイド軸と、
前記主ガイド軸および前記副ガイド軸を光軸に沿って垂設するための固定基準となる基台と、
前記主ガイド軸のみを受ける軸受け部材とを備えており、
前記軸受け部材として、
前記主ガイド軸の前記基台から遠い側の端を受けるため、前記基台と２本の支柱を介して一体成形された第１の軸受け部材と、
前記主ガイド軸の前記基台に近い側の端を受けるため、前記基台を固定基準とした第２の軸受け部材と
を備えることを特徴とするレンズ鏡筒。
【請求項３】
レンズ保持装置を内部に備えるレンズ鏡筒と、
前記レンズ鏡筒の内部の前記レンズを介して取り込んだ画像を電気信号に変換する撮像素子とを備える撮像装置において、
前記レンズ保持装置は、
３群構成から成る沈銅レンズの３群のレンズを保持するレンズ保持装置において、
前記レンズを保持する保持枠と、
前記保持枠に設けられ前記レンズの光軸に沿って延出するスリーブ部と、
前記保持枠が前記レンズの光軸に沿って移動する際の支えとするため、前記スリーブ部に貫通する主ガイド軸と、
前記保持枠の前記主ガイド軸を中心とした回転方向への移動を規制するための副ガイド軸と、
前記主ガイド軸および前記副ガイド軸を光軸に沿って垂設するための固定基準となる基台と、
前記主ガイド軸のみを受ける軸受け部材とを備えており、
前記軸受け部材として、
前記主ガイド軸の前記基台から遠い側の端を受けるため、前記基台と２本の支柱を介して一体成形された第１の軸受け部材と、
前記主ガイド軸の前記基台に近い側の端を受けるため、前記基台を固定基準とした第２の軸受け部材と
を備えることを特徴とする撮像装置。
【発明の詳細な説明】
【技術分野】
【０００１】
本発明は、レンズを保持するとともに光軸に沿って移動可能に支持するレンズ保持装置、およびこれを用いたレンズ鏡筒ならびに撮像装置に関する。
【背景技術】
【０００２】
近年、デジタルスチルカメラ、デジタルビデオカメラ等の撮像装置においては、携帯性の向上・使い勝手の良化が求められ、装置全体の小型化が行われており、撮像装置に用いられる光学系鏡筒・レンズの小型化も進められているが、さらなる高画質化・高画素化の要望は非常に強く、光学系の構成部材であるレンズは大型化しても、駆動機構を小型化することによって光学系鏡筒としての小型化が要望される。
【０００３】
また、デジタルスチルカメラ、デジタルビデオカメラ等の撮像装置において使用されている、いわゆる沈胴レンズに関しても、既述の携帯性の利便性という観点から、小型化・薄型化が要望されている。特に、近年のデジタルスチルカメラにおいては、シャツの胸ポケットやジーンズのポケットに入るなど、更なる携帯性の利便性を追求した商品が好まれる傾向にあり、光学系鏡筒としての薄型化が強く要望されている。
【０００４】
ここで、いわゆる沈胴レンズ・沈胴鏡筒については特許文献１、レンズ駆動機構については特許文献２などに開示されている。一般的に沈胴レンズ・沈胴式カメラの可動レンズを高精度に芯合わせしつつ、光軸方向に移動可能に狭持するためには、ガイド軸の高精度な位置決め・固定が必要となる。
【０００５】
【特許文献１】特開２００２−２９６４８０号公報
【特許文献２】特開２００２−２８７００２号公報
【発明の開示】
【発明が解決しようとする課題】
【０００６】
しかしながら、上記従来技術においては、ガイド軸押さえを後部鏡筒に対して高精度に位置決め・固定するために、複数の位置決め・複数の固定手段（締結要素など）・複数の受け面などが必要であるため、小型化に不向きであるという問題が生じている。
【課題を解決するための手段】
【０００７】
本発明は、このような課題を解決するために成されたものである。すなわち、本発明は、３群構成から成る沈銅レンズの３群のレンズを保持するレンズ保持装置であり、レンズを保持する保持枠と、保持枠に設けられレンズの光軸に沿って延出するスリーブ部と、保持枠がレンズの光軸に沿って移動する際の支えとするため、スリーブ部に貫通する主ガイド軸と、保持枠の主ガイド軸を中心とした回転方向への移動を規制するための副ガイド軸と、主ガイド軸および副ガイド軸を光軸に沿って垂設するための固定基準となる基台と、主ガイド軸のみを受ける軸受け部材とを備えており、軸受け部材として、主ガイド軸の基台から遠い側の端を受けるため、基台と２本の支柱を介して一体成形された第１の軸受け部材と、主ガイド軸の基台に近い側の端を受けるため、基台を固定基準とした第２の軸受け部材とを備えるものである。また、このレンズ保持装置を用いたレンズ鏡筒および撮像装置でもある。
【０００８】
このような本発明では、主ガイド軸のみを受ける軸受け部材として、主ガイド軸の先端（基台から遠い側の端）を受けるため基台と２本の支柱を介して一体成形された第１の軸受け部材を備えることから、主ガイド軸を容易かつ高精度に光軸方向と一致させることができる。また、主ガイド軸の先端が基台と一体成形となる第１の軸受け部材で位置決めされるため、３群レンズの保持枠の移動において基台から遠い側の位置精度を非常に高めることができ、特に厳しい近距離でのフォーカス合わせ精度を向上できるようになる。また、近距離（至近側）での片ボケを容易に抑制できるようになる。また、第２の軸受け部材を直接基台に位置決め・固定することにより、取付ビスなどの締結部分も不要になるため、小型化・低コスト化といった課題を、主ガイド軸を高精度に光軸方向に一致させたまま実現することができる。
【発明の効果】
【０００９】
したがって、本発明によれば次のような効果がある。すなわち、主ガイド軸の端を後部鏡筒と一体成形された第１の軸受け部材で位置決めし、ガイド軸押さえにより主ガイド軸後端の位置決めすることにより、ガイド軸押さえの倒れ規制が必要なくなり、主ガイド軸を容易かつ高精度に光軸方向に一致させることが可能になるため、主ガイド軸の位置決め精度を劣化させることなく小型化が可能となる。
【００１０】
また、沈胴レンズやこれを備えた撮像装置（沈胴式カメラ）の内部構造の小型化・低コスト化を実現したため、沈胴レンズや沈胴式カメラの小型化・低コスト化を実現することが可能となる。
【発明を実施するための最良の形態】
【００１１】
以下、本発明の実施の形態を図に基づき説明する。先ず、本実施形態に係るレンズ保持装置が適用されるレンズ鏡筒（沈胴レンズ）について説明する。図１は、沈胴レンズの状態を説明する斜視図で、（ａ）が不使用時のレンズ収納状態すなわち沈胴状態を示すもの、（ｂ）がＷＩＤＥ状態、（ｃ）がＴＥＬＥ状態を示すものである。また、図２は、沈胴レンズの断面図であり、（ａ）が沈胴状態、（ｂ）がＷＩＤＥ状態、（ｃ）がＴＥＬＥ状態を示すものである。また、図３は、沈胴レンズの分解斜視図である。
【００１２】
沈胴レンズ１は、光学的には３群構成であり、１群と２群が所定のカムカーブに沿って光軸方向に駆動されることによってズーミングを行い、３群が光軸方向に微小に変位することによってフォーカッシングを行う。すなわち、１群と２群の変位によって焦点距離を可変し、３群の変位によって適切に合焦させる構成である。
【００１３】
１群枠２は、カム環４のカム溝４ｂに嵌合される３本（複数本）のカムピン２ａと、１群を構成する複数のレンズを挿入・固定する複数のレンズ室２ｂと、収納時、沈胴状態においてレンズ前玉を保護するバリア機構部２ｃとを備えており、例えばガラス繊維を含有するポリカーボネート樹脂（黒色）で成形され、強度・遮光性と量産性を備えている。
【００１４】
２群枠３は、カム環４のカム溝４ｃに勘合される３本（複数本）のカムピン３ａと、２群を構成する複数のレンズを挿入・固定する複数のレンズ室３ｂとを備えており、例えばガラス繊維を含有するポリカーボネート樹脂（黒色）で成形され、強度・遮光性と量産性を備えている。また、アイリス・シャッター機構を構成している場合もある。
【００１５】
カム環４は、ギアユニット１０によって駆動されることによりカム環４を固定環６の内径で回転駆動するためのギア部４ａと、１群枠２のカムピン２ａが勘合される３本（複数本）のカム溝４ｂと、２群枠３のカムピン３ａが勘合される３本（複数本）のカム溝４ｃと、固定環６のカム溝６ａに勘合される３本（複数本）のカムピン４ｄとを備えており、例えばガラス繊維を含有するポリカーボネート樹脂（黒色）で成形され、強度・遮光性と量産性を備えている。
【００１６】
カム溝４ｂおよびカム溝４ｃは、１群および２群を所定のカーブに沿って光軸方向に移動させ、ズーミング動作を行うものである。直進案内環５は、カム環４と一体的に固定環６の内径で光軸方向に移動する部材で、１群枠２を光軸方向にガイドする案内溝５ａと、２群枠３を光軸方向にガイドする案内溝５ｂとを備えており、例えばガラス繊維を含有するポリカーボネート樹脂（黒色）で成形され、強度・遮光性と量産性を備えている。
【００１７】
固定環６は、後部鏡筒８に固定される部材で、カム環４のカムピン４ｄが嵌合される３本（複数本）のカム溝６ａを備えており、例えばガラス繊維を含有するポリカーボネート樹脂（黒色）で成形され、強度・遮光性と量産性を備えている。
【００１８】
３群枠７は、３群を構成するレンズを挿入・固定するためのレンズ室７ａを備えており、例えばガラス繊維を含有するポリカーボネート樹脂（黒色）で成形され、強度・遮光性と量産性を備えている。３群枠７は、後部鏡筒８に対して光軸方向に移動可能に保持されており、ステッピングモータ１５などの動力源によって光軸方向に微小に変位することができる。
【００１９】
この３群枠７が本実施形態のレンズ保持枠、後部鏡筒８が本実施形態の基台に該当する。これらによる本実施形態のレンズ保持装置については後述する。後部鏡筒８には、固定環６、ガイド軸押さえ９、ギアユニット１０が位置決め・固定される。後部鏡筒８にはガイド軸１４、２４が垂設されている。このガイド軸１４が主ガイド軸であり、３群枠７に光軸方向に沿って延出するスリーブ部７ｂを貫通して、３群枠７が光軸に沿って移動する際の支えとなっている。一方、ガイド軸２４は副ガイド軸であり、３群枠７の周縁に設けられた溝に配置され３群枠７がガイド軸１４を中心として回転移動することを規制している。
【００２０】
後部鏡筒８は、光学式ローパスカットフィルタや赤外カットフィルタなどの光学フィルタ１１を挿入・位置決め・固定するための凹部と、鏡筒内部へのゴミなどの侵入を防止し、光学フィルタ１１を弾性付勢するためのシールゴム１２を挿入するための凹部とを備えており、例えばガラス繊維を含有するポリカーボネート樹脂（黒色）で成形され、強度・遮光性と量産性を備えている。後部鏡筒８には、ＣＣＤやＣＭＯＳなどの固体撮像素子１３が高精度に位置決め・固定される。
【００２１】
ギアユニット１０は、カム環４をギア部４ａによって駆動するものである。ギア比は、沈胴→ＷＩＤＥ→ＴＥＬＥおよびＴＥＬＥ→ＷＩＤＥ→沈胴の範囲において十分な駆動力を得られるように決められる。ギアユニット１０は、カム環４を駆動することにより、この沈胴レンズのズーミング動作を行う。
【００２２】
ステッピングモータ１５は、３群枠７を光軸方向に微小に変位するためのリードスクリュー１５ａと、後部鏡筒８に対して位置決め・固定されるための取付板金１５ｂとを備えている。
【００２３】
以下、レンズの動作について説明する。沈胴状態〜光学ＷＩＤＥ間の動作において、カム環４はギア部４ａがギアユニット１０によって駆動力を与えられることにより駆動されて、カムピン４ｄが固定環６のカム溝６ａに沿って回転しながら光軸方向に被写体側に向けて移動する。このとき、直進案内環５はカム環４と一体的に移動する（図２中矢印Ａ参照）。
【００２４】
このとき、１群枠２はカムピン２ａがカム溝４ｂおよび案内溝５ａに沿って所定のカーブによって移動する（図２中矢印Ｂ参照）。このとき、２群枠３はカムピン３ａがカム溝４ｃおよび案内溝５ｂに沿って所定のカーブによって移動する（図２中矢印Ｃ参照）。以上により、１群および２群は所定の位置に移動し、光学的にＷＩＤＥの位置になる。
【００２５】
光学ＷＩＤＥ〜光学ＴＥＬＥ間の動作においても、カム環４はギア部４ａがギアユニット１０によって駆動力を与えられることにより駆動されるが、この範囲においてカム溝６ａはカム環４が光軸方向に駆動しないように形成されており、直進案内環５も光軸方向に移動しない（図２中矢印Ｄ参照）。
【００２６】
このとき、１群枠２はカムピン２ａがカム溝４ｂおよび案内溝５ａに沿って所定のカーブによって移動する（図２中矢印Ｅ参照）。このとき、２群枠３はカムピン３ａがカム溝４ｃおよび案内溝５ｂに沿って所定のカーブによって移動する（図２中矢印Ｆ参照）。以上により、１群および２群は所定のカーブに沿って移動し、光学的にＷＩＤＥ〜ＴＥＬＥ間を移動することによってズーミング動作を行う。
【００２７】
光学ＴＥＬＥ→光学ＷＩＤＥ→沈胴状態については、ギアユニット１０を上記動作と反対向きに駆動することでカム環４を反対向きに回転させることによって行う。上記のギアユニット１０によるカム環４の駆動によって沈胴レンズ１は沈胴動作およびズーミング動作を行うが、これとは別のステッピングモータ１５といった駆動源によって３群が光軸方向に微小に変位することによりフォーカッシング動作を行う（図２中矢印Ｇ参照）。
【００２８】
次に、本実施形態に係るレンズ保持装置の第１実施形態を説明する。図４は、本実施形態に係るレンズ保持装置を説明する分解斜視図、図５は、本実施形態に係るレンズ保持装置の組み立て状態を説明する斜視図、図６は、本実施形態に係るレンズ保持装置を説明する正面図である。
【００２９】
本実施形態に係るレンズ保持装置の構成は、ガイド軸１４の先端（後部鏡筒８から遠い側の端）を受けるため、後部鏡筒８と一体成形された第１の軸受け部材９１と、ガイド軸１４の後端（後部鏡筒８に近い側の端）を位置決めする第２の軸受け部材であるガイド軸押さえ９とを備えている。
【００３０】
第１の軸受け部材９１は、後部鏡筒８から延設される２本の支柱９１ａと、この支柱９１ａで保持される軸受け部９１ｂとから構成される。軸受け部９１ｂが支柱９１ａで保持されることで、軸受け部９１ｂによってガイド軸１４を受ける際の十分な強度を得ることができる。なお、本実施形態では２本の支柱９１ａで軸受け部９１ｂを保持しているが、２本より多くの支柱９１ａで軸受け部９１ｂを保持するようにしてもよい。また、１本の支柱９１ａで軸受け部９１ｂを保持するようにしてもよい。
【００３１】
後部鏡筒８は、ガイド軸押さえ９の位置決め突起９ｅを位置決めする位置決め部８ｃと、ガイド軸押さえ９の固定突起９ｆを固定する固定部８ｄとを備えている。ガイド軸押さえ９は、ガイド軸１４を後部鏡筒８の第１の軸受け部材９１との間に高精度に狭持するための軸受部９ｂと、後部鏡筒８の位置決め部８ｃによって位置決めされる位置決め突起９ｅと、後部鏡筒８の固定部８ｄによって固定される固定突起９ｆとを備えている。
【００３２】
ガイド軸押さえ９は、図５（ａ）、図６（ａ）、（ｂ）のようにガイド軸１４を位置決めした状態で仮組みされる。ここで、図５（ａ）は仮組みした状態の斜視図、図６（ａ）は仮組みした状態の前側正面図、図６（ｂ）は仮組みした状態の後ろ側正面図である。この状態で、図６（ｂ）に示すように位置決め突起９ｅは位置決め部８ｃとクリアランスを持って配置することができ、少ない摩擦抵抗で回転することができる。
【００３３】
次に、ガイド軸押さえ９を回転させて（図６（ａ）矢印参照）、図５（ｂ）、図６（ｃ）（ｄ）のように固定突起９ｆを固定部８ｄに対してスナップフィット（１回転未満の回転圧入）などの非常に容易な方法で固定すると、図６（ｄ）に示すように位置決め突起９ｅは位置決め部８ｃによって位置決めされ、摩擦抵抗のために衝撃荷重などの外力によっても容易には外れないように固定することができる。ここで、図５（ｂ）は組み立て完了状態の斜視図、図６（ｃ）は組み立て完了状態の前側正面図、図６（ｂ）は組み立て完了状態の後ろ側正面図である。なお、位置決めは、勘合・圧入などの手段を問わず実施可能である。
【００３４】
このような本実施形態のレンズ保持装置の構成によれば、ガイド軸１４の先端を後部鏡筒８と一体成形された第１の軸受け部材９１で位置決めし、ガイド軸押さえ９をガイド軸１４後端の位置決めとすることにより、ガイド軸押さえ９の倒れ規制が必要なくなり、ガイド軸１４を容易かつ高精度に光軸方向に一致させることが可能になるため、ガイド軸１４の位置決め精度を劣化させることなく小型化が可能になる。
【００３５】
また、ガイド軸１４の先端（後部鏡筒８から遠い側の端）が後部鏡筒８と一体成形となる第１の軸受け部材９１で位置決めされるため、３群枠７の移動において後部鏡筒８から遠い側の位置精度を非常に高めることができ、特に厳しい近距離でのフォーカス合わせ精度を向上できるようになる。また、近距離（至近側）での片ボケを容易に抑制できるようになる。
【００３６】
また、ガイド軸押さえ９を直接後部鏡筒８に位置決め・固定する手段を設けることにより、取付ビスなどの締結部分も不要になるため、小型化・低コスト化といった課題を、ガイド軸１４を高精度に光軸方向に一致させたまま実現することができる。さらに、沈胴レンズ・沈胴式カメラの内部構造の小型化・低コスト化を実現したため、沈胴レンズ・沈胴式カメラの小型化・低コスト化を実現することが可能である。
【００３７】
次に、第２実施形態を説明する。図７は、レンズ保持装置の第２実施形態を説明する分解斜視図である。すなわち、このレンズ保持装置は、ガイド軸１４の先端を受けるため、後部鏡筒８と一体成形された第１の軸受け部材９１と、ガイド軸１４の後端を位置決めするガイド軸押さえ９とを備えている点で第１実施形態と同様であるが、このガイド軸押さえ９が後部鏡筒８に螺合によって固定される点で相違する。
【００３８】
つまり、ガイド軸１４を３群枠７に通した状態でガイド軸１４の先端を第１の軸受け部材９１で位置決めし、この状態でガイド軸１４の後端をガイド軸押さえ９の軸受部９ｂにはめ込む。ガイド軸押さえ９の周縁には予めネジが設けられており、後部鏡筒８の穴に設けられたネジと螺合できるようになっている。
【００３９】
このように、ガイド軸押さえ９を後部鏡筒８に螺合することによってガイド軸１４を第１の軸受け部材９１との間で高精度に挟持できるようになる。さらに、ネジ部の前／後に勘合部などを設けることにより、さらに高精度に狭持することも可能である。また、ガイド軸押さえ９を螺合によって後部鏡筒８に取り付けることで、別途の締結具を用いることなく確実に固定できるようになる。
【００４０】
次に、第３実施形態を説明する。図８は、レンズ保持装置の第３実施形態を説明する分解斜視図である。すなわち、このレンズ保持装置は、ガイド軸１４の先端を受けるため、後部鏡筒８と一体成形された第１の軸受け部材９１を備える点で第１実施形態と同様であるが、ガイド軸１４の後端を受けるガイド軸押さえ９が駆動源であるステッピングモータ１５の取付板金１５ｂと兼用となっている点で相違する。
【００４１】
つまり、この実施形態では、ステッピングモータ１５を後部鏡筒８の後ろ側から取り付ける構成となっており、ステッピングモータ１５の取付板金１５ｂの一部を延設することでガイド軸押さえ９を構成している。
【００４２】
組み立てるには、ガイド軸１４を３群枠７に通した状態でガイド軸１４の先端を第１の軸受け部材９１で位置決めし、この状態でステッピングモータ１５を取付板金１５ｂを介して後部鏡筒８に固定するとともに、取付板金１５ｂの延設部分をガイド軸押さえ９としてガイド軸１４の後端を受けるようにする。
【００４３】
取付板金１５ｂの延設部分であるガイド軸押さえ９にはガイド軸１４の後端を受ける凹部が設けられており、この凹部にガイド軸１４の後端がはまり込むことで位置決めがなされる。凹部は貫通孔であっても窪みであってもよい。貫通孔の場合にはガイド軸１４の後端をテーパや段付きにしておき、ガイド軸１４が抜けないようにしておく。
【００４４】
このように、ステッピングモータ１５の取付板金１５ｂをガイド軸押さえ９として兼用することにより、部品点数や取り付け作業工数を減らすことが可能となる。
【００４５】
次に、第４実施形態を説明する。図９は、レンズ保持装置の第４実施形態を説明する分解斜視図である。すなわち、このレンズ保持装置は、ガイド軸１４の先端を受けるため、後部鏡筒８と一体成形された第１の軸受け部材９１を備える点で第１実施形態と同様であるが、ガイド軸１４の後端を受けるガイド軸押さえ９が固体撮像素子１３の取付板金１３ｂと兼用となっている点で相違する。
【００４６】
つまり、この実施形態では、固体撮像素子１３を後部鏡筒８の後ろ側から取り付けるにあたり、固体撮像素子１３の取付板金１３ｂの一部を延設することでガイド軸押さえ９を構成している。
【００４７】
組み立てるには、ガイド軸１４を３群枠７に通した状態でガイド軸１４の先端を第１の軸受け部材９１で位置決めし、この状態で固体撮像素子１３を取付板金１３ｂを介して後部鏡筒８に固定するとともに、取付板金１３ｂの延設部分をガイド軸押さえ９としてガイド軸１４の後端を受けるようにする。
【００４８】
取付板金１３ｂの延設部分であるガイド軸押さえ９には、先と同様にガイド軸１４の後端を受ける凹部を設けておき、この凹部にガイド軸１４の後端をはめ込むことで位置決めがなされる。凹部は貫通孔であっても窪みであってもよい。貫通孔の場合にはガイド軸１４の後端をテーパや段付きにしておき、ガイド軸１４が抜けないようにしておく。
【００４９】
このように、固体撮像素子１３の取付板金１３ｂをガイド軸押さえ９として兼用することにより、部品点数や取り付け作業工数を減らすことが可能となる。
【００５０】
次に、第５実施形態を説明する。図１０は、レンズ保持装置の第５実施形態を説明する分解斜視図である。すなわち、このレンズ保持装置は、ガイド軸１４の先端を受けるため、後部鏡筒８と一体成形された第１の軸受け部材９１と、ガイド軸１４の後端を位置決めするガイド軸押さえ９とを備えている点で第１実施形態と同様であるが、このガイド軸１４が第１の軸受け部材９１（すなわち、後部鏡筒８）と一体成形されている点で相違する。
【００５１】
つまり、本実施形態では、後部鏡筒８を成形するにあたり、第１の軸受け部材９１とともにこの第１の軸受け部材９１にガイド軸１４の先端が位置決めされた状態で一体成形されている。
【００５２】
組み立ての際には、ガイド軸１４が第１の軸受け部材９１に既に接続されていることから、３群枠７をガイド軸１４に通した状態でガイド軸押さえ９を取り付けてガイド軸１４の後端を受けるようにする。ガイド軸押さえ９の構造は、第１実施形態のようなスナップフィットであっても、第２実施形態のような螺合であっても、第３実施形態のようなステッピングモータ１５の取付板金１５ｂと兼用であっても、第４実施形態のような固体撮像素子１３の取付板金１３ｂと兼用であってもよい。
【００５３】
このような構成によって、ガイド軸１４を別部品にすることなくなり、部品点数の減少を図ることができる。また、組み立て時にはガイド軸１４が既に固定されているため、容易かつ正確な位置決めを行うことが可能となる。
【００５４】
次に、第６実施形態を説明する。図１１は、レンズ保持装置の第６実施形態を説明する分解斜視図である。すなわち、このレンズ保持装置は、ガイド軸１４の先端を受けるため、後部鏡筒８と一体成形された第１の軸受け部材９１と、ガイド軸１４の後端を位置決めするガイド軸押さえ９とを備えている点で第１実施形態と同様であるが、このガイド軸１４がガイド軸押さえ９と一体成形されている点で相違する。
【００５５】
つまり、本実施形態では、ガイド軸押さえ９を成形するにあたり、ガイド軸押さえ９の中心にガイド軸１４の後端が位置決めされた状態で一体成形されている。
【００５６】
組み立てるには、ガイド軸１４を３群枠７に通した状態でガイド軸１４の先端を第１の軸受け部材９１で位置決めし、この状態でガイド軸１４の後端に取り付けられたガイド軸押さえ９を後部鏡筒８に固定する。ガイド軸押さえ９の固定構造は、第１実施形態のようなスナップフィットであっても、第２実施形態のような螺合であってもよい。
【００５７】
このような構成によって、ガイド軸１４を別部品にすることなくなり、部品点数の減少を図ることができる。また、組み立て時にはガイド軸１４が予めガイド軸押さえ９に固定されているため、容易でかつ正確な位置決めを行うことが可能となる。
【００５８】
次に、第７実施形態を説明する。図１２は、レンズ保持装置の第７実施形態を説明する分解斜視図である。すなわち、このレンズ保持装置は、ガイド軸１４の先端を受けるため、後部鏡筒８と一体成形された第１の軸受け部材９１と、ガイド軸１４の後端を位置決めするガイド軸押さえ９とを備えている点で第１実施形態と同様であるが、このガイド軸押さえ９が板金で構成され、ネジによって後部鏡筒８に固定される点で相違する。
【００５９】
組み立てるには、ガイド軸１４を３群枠７に通した状態でガイド軸１４の先端を第１の軸受け部材９１で位置決めし、この状態でガイド軸１４の後端をガイド軸押さえ９の軸受部９ｂにはめ込む。そして、ガイド軸押さえ９を後部鏡筒８にネジ９ｈによって締結固定する。このような板金から成るガイド軸押さえ９およびネジ９ｈによる締結固定によって、ガイド軸１４を高強度で支持できるようになる。
【００６０】
次に、第８実施形態を説明する。図１３は、レンズ保持装置の第８実施形態を説明する斜視図で、（ａ）は分解斜視図、（ｂ）〜（ｃ）は組み立てを説明する斜視図である。すなわち、このレンズ保持装置は、ガイド軸１４の先端を受けるため、後部鏡筒８と一体成形された第１の軸受け部材９１を備えている点で第１実施形態と同様であるが、ガイド軸１４の後端を受けるガイド軸押さえ９が後部鏡筒８と一体成形されている点で相違する。
【００６１】
つまり、後部鏡筒８のガイド軸１４の後端が位置決めされる部分にはガイド軸１４とほぼ同じ大きさの孔が開けられており、この孔がガイド軸押さえ９となっている。
【００６２】
組み立てるには、図１３（ｂ）に示すように３群枠７のガイド軸１４が通るスリーブ部７ｂを第１の軸受け部材９１に配置し、この状態で後部鏡筒８の後ろ側もしくは前側から上記孔にガイド軸１４を圧入する。そして、ガイド軸１４を３群枠７のスリーブ部７ｂに通して第１の軸受け部材９１まで到達させる。これにより、図１３（ｂ）に示すような状態となる。なお、ガイド軸１４を後部鏡筒８に圧入した後は、ガイド軸１４の後端を接着剤や溶着によって固定してもよい。
【００６３】
このような構成により、ガイド軸押さえ９を別部品で用意する必要がなくなって部品点数を減少できるとともに、後部鏡筒８に設ける孔の位置によってガイド軸１４の後端の位置決め精度が決まり、高精度にガイド軸１４を支持することが可能となる。
【００６４】
なお、上記説明した各種のレンズ保持装置を備えるレンズ鏡筒（沈胴レンズ）はデジタルスチルカメラ等の撮像装置に適用されることで、撮像装置の小型化に貢献できるようになる。
【図面の簡単な説明】
【００６５】
【図１】沈胴レンズの状態を説明する斜視図である。
【図２】沈胴レンズの断面図である。
【図３】沈胴レンズの分解斜視図である。
【図４】本実施形態に係るレンズ保持装置を説明する分解斜視図である。
【図５】本実施形態に係るレンズ保持装置の組み立て状態を説明する斜視図である。
【図６】本実施形態に係るレンズ保持装置を説明する正面図である。
【図７】レンズ保持装置の第２実施形態を説明する分解斜視図である。
【図８】レンズ保持装置の第３実施形態を説明する分解斜視図である。
【図９】レンズ保持装置の第４実施形態を説明する分解斜視図である。
【図１０】レンズ保持装置の第５実施形態を説明する分解斜視図である。
【図１１】レンズ保持装置の第６実施形態を説明する分解斜視図である。
【図１２】レンズ保持装置の第７実施形態を説明する分解斜視図である。
【図１３】レンズ保持装置の第８実施形態を説明する斜視図である。
【符号の説明】
【００６６】
１…沈胴レンズ、２…１群枠、３…２群枠、４…カム環、８…後部鏡筒、９…ガイド軸押さえ、１０…ギアユニット、１３…固体撮像素子、１４…ガイド軸、１５…ステッピングモータ、９１…第１の軸受け部材
【図１】
2006301672.tif 000003
【図２】
2006301672.tif 000004
【図３】
2006301672.tif 000005
【図４】
2006301672.tif 000006
【図５】
2006301672.tif 000007
【図６】
2006301672.tif 000008
【図７】
2006301672.tif 000009
【図８】
2006301672.tif 000010
【図９】
2006301672.tif 000011
【図１０】
2006301672.tif 000012
【図１１】
2006301672.tif 000013
【図１２】
2006301672.tif 000014
【図１３】
2006301672.tif 000015